(57)【要約】【課題】  簡便な方法によって、真正品であるか否かを容易に識別することができるセキュリティラベル、それを用いた製品梱包用パッケージ及び製品梱包用パッケージの製造方法を提供する。【解決手段】  セキュリティラベル１１は、支持体１２と、下地層１３と、パターン層１４と、フィルム層１５とを備えている。パターン層１４は、赤色に着色された意匠部と、黒色に着色された背景部とからなる。又、フィルム層１５は、観察角０°のとき無色透明を呈し、観察角α°のとき青緑色を呈する多層ポリマーフィルムからなる。フィルム層１５は、少なくともパターン層１４の意匠部の全面を覆い隠すように積層されている。更に、フィルム層１５が呈する青緑色は、パターン層１４の意匠部に着色された赤色と補色の関係にある。【選択図】      図３
2005289446.tif 000002
【特許請求の範囲】
【請求項１】
支持体上に設けられ第１着色部及び第２着色部からなるパターン層と、少なくとも前記第１着色部上に積層され、表面に対し特定の方向から観察したとき透明色を呈し、かつ同表面を前記特定の方向から所定角度に傾けて観察したとき第一の色を呈するフィルム層とを備え、前記第１着色部を第二の色に着色し、前記第２着色部を前記第二の色とは異なる第三の色に着色し、前記表面を前記特定の方向から前記所定角度に傾けて観察したときに前記第二の色を前記第三の色と同系色に変化させると共に、前記第二の色と前記第三の色との色差が２以下となるように構成したことを特徴とするセキュリティラベル。
【請求項２】
前記パターン層において前記第１着色部の面積は前記第２着色部の面積よりも小さいことを特徴とする請求項１に記載のセキュリティラベル。
【請求項３】
前記第三の色は黒色であり、前記第一の色と前記第二の色とは補色の関係にあることを特徴とする請求項１又は２に記載のセキュリティラベル。
【請求項４】
前記第三の色は特殊光を照射することにより判別可能な特殊インクにより着色されていることを特徴とする請求項３に記載のセキュリティラベル。
【請求項５】
前記パターン層において前記第１着色部は意匠部として構成され、前記第２着色部は前記意匠部を除く部分として構成されていることを特徴とする請求項１〜４のうちいずれか１項に記載のセキュリティラベル。
【請求項６】
請求項１〜５のうちいずれか１項に記載のセキュリティラベルを外面に設けたことを特徴とする製品梱包用パッケージ。
【請求項７】
請求項１〜５のうちいずれか１項に記載のセキュリティラベルを用いた製品梱包用パッケージの製造方法であって、
前記支持体上に前記パターン層を印刷し、同パターン層の表面にフィルム材を貼着して前記フィルム層を積層することを特徴とする製品梱包用パッケージの製造方法。
【発明の詳細な説明】
【技術分野】
【０００１】
本発明は、セキュリティラベル、それを用いた製品梱包用パッケージ及び製品梱包用パッケージの製造方法に関するものである。
【背景技術】
【０００２】
近年、知的財産を侵害する粗悪な模倣品被害が大きな社会問題となっている。そこで、模倣品対策として、真正品であることを証明するための認証ラベルが広く用いられている。しかし、印刷技術等の飛躍的な向上に伴い、認証ラベルの偽造品を複製することが頻繁に行われている。このため、認証ラベルに対するセキュリティ性の向上が益々強く要求されている。そこで、偽造防止手段の一つとして、特殊インクにより認証ラベルの意匠面を印刷する方法が、特許文献１、２に開示されている。
【特許文献１】特開２００２−２２６７５３号公報
【特許文献２】特開２００１−１９８８７号公報
【発明の開示】
【発明が解決しようとする課題】
【０００３】
ところが、特許文献１によると、真正品及び偽造品をそれぞれ複写したもので比較した場合に、両者間での相違が微妙なことが多いことから、真正品であるか否かを見極めるのが難しいという問題があった。又、特許文献２によると、センサ等の機器により光の反射・吸収領域を測定する等の煩雑な作業を伴うことから、真正品であるか否かを識別するのに手間がかかるという問題があった。
【０００４】
本発明は、簡便な方法によって、真正品であるか否かを容易に識別することができるセキュリティラベル、それを用いた製品梱包用パッケージ及び製品梱包用パッケージの製造方法を提供することにある。
【課題を解決するための手段】
【０００５】
上記課題を解決するため、本発明は、支持体上に設けられ第１着色部及び第２着色部からなるパターン層と、少なくとも前記第１着色部上に積層され、表面に対し特定の方向から観察したとき透明色を呈し、かつ同表面を前記特定の方向から所定角度に傾けて観察したとき第一の色を呈するフィルム層とを備え、前記第１着色部を第二の色に着色し、前記第２着色部を前記第二の色とは異なる第三の色に着色し、前記表面を前記特定の方向から前記所定角度に傾けて観察したときに前記第二の色を前記第三の色と同系色に変化させると共に、前記第二の色と前記第三の色との色差が２以下となるように構成したことをその要旨とする。
【０００６】
本発明によれば、表面を所定角度に傾けて観察したとき、第１着色部と第２着色部とが同系色となり、かつ両着手部間の色差が２以下となるため、第１着色部と第２着色部とで色の違いを肉眼で識別するのが困難になる。このとき、第１着色部と第２着色部とで色の違いを識別できるか否かによって、セキュリティラベルが真正品であるか否かを見極めることが可能となる。よって、表面を所定角度に傾けるだけで、セキュリティラベルが真正品であるか否かを容易に識別することができる。なお、ここで「同系色に変化する」には、第１着色部と第２着色部とが同色に変化する場合も含まれるものとする。
【０００７】
本発明は、前記パターン層において前記第１着色部の面積は前記第２着色部の面積よりも小さいことをその要旨とする。
本発明によれば、第１着色部の面積を第２着色部の面積よりも小さくすることで、第１着色部を観察対象として特定することができる。そして、この第１着色部が存在するか否かによって、セキュリティラベルが真正品であるか否かを見極めることができる。よって、第１着色部の有無による２値判定が可能となるため、セキュリティラベルが真正品であるか否かをより一層容易に識別することができる。
【０００８】
本発明は、前記第三の色は黒色であり、前記第一の色と前記第２の色とは補色の関係にあることをその要旨とする。
本発明によれば、第三の色が黒色であるため、第１着色部と第２着色部との色の違いを強調させることができる。このため、第１着色部の有無をより明確にすることができ、第１着色部の有無による２値判定をより容易に行うことが可能となる。又、第一の色と第二の色とが補色の関係にあるため、表面を所定角度に傾けて観察したとき第１着色部と第２着色部とが共に黒色になることから、第１着色部の存在をほぼ完全に消すことができる。このため、第１着色部の有無をより一層明確にすることができ、セキュリティラベルが真正品であるか否かを更に容易に識別することができる。
【０００９】
本発明は、前記第三の色は特殊光を照射することにより判別可能な特殊インクにより着色されていることをその要旨とする。
本発明によれば、第２着色部が特殊インクにより着色されているため、セキュリティラベルが不正に複製されるのを防止することができる。
【００１０】
本発明は、前記パターン層において、前記第１着色部は意匠部として構成され、前記第２着色部は前記意匠部を除く部分として構成されていることをその要旨とする。
本発明によれば、観察対象である第１着色部に意匠性を持たせることによって、第１着色部に対する視認性を向上させることができる。このため、第１着色部の有無を更に明確にすることができる。
【００１１】
本発明は、製品梱包用パッケージの外面にセキュリティラベルを設けたことをその要旨とする。
本発明によれば、機器等を用いることなく、表面を所定角度に傾けると共に肉眼で観察することによって、セキュリティラベルが真正品であるか否かを見極めることができる。よって、製品を購入したその場で、パッケージに梱包された製品が真正品であるか否かを容易に識別することができる。
【００１２】
本発明は、前記支持体上に前記パターン層を印刷し、同パターン層の表面に前記フィルム材を貼着し前記フィルム層を積層することをその要旨とする。
本発明によれば、セキュリティラベルは、その構成が単純であることから、製造工程が複雑化することもなく、大幅なコスト上昇を招くことを防止できる。
【発明を実施するための最良の形態】
【００１３】
以下、本発明を、プラスチックパッケージ１０の外面に設けられたセキュリティラベル１１に具体化した一実施形態を図１〜図５に従って説明する。
図３に示すように、セキュリティラベル１１は、支持体１２と、下地層１３と、パターン層１４と、フィルム層１５とを備えている。セキュリティラベル１１は、支持体１２と、同支持体１２上に印刷された下地層１３及びパターン層１４と、同パターン層１４の表面に積層されたフィルム層１５とを一体的に形成したものである。図１及び図２に示すように、このセキュリティラベル１１は、プラスチックパッケージ１０、又は同プラスチックパッケージ１０内に梱包されたインクカートリッジ等の製品が真正品であるか否かを識別するためのものとして使用される。
【００１４】
支持体１２は、プラスチックパッケージ１０を形成する合成樹脂製のフィルム材の一部分を構成している。フィルム材としては、例えばポリ塩化ビニル、ポリエステル、ポリカーボネート、ポリメタクリル酸メチル、ポリスチレン、ポリエチレンテレフタレート、ポリエチレンナフタレート、ポリプロピレン、ポリビニルアルコール等が挙げられる。
【００１５】
下地層１３は、支持体１２の表面に公知の印刷法により積層形成されている。印刷法としては、例えばシルクスクリーン印刷、グラビア印刷、活版印刷、オフセット印刷、パッド印刷等が挙げられる。この下地層１３には、プラスチックパッケージの全体的な外観を構成する色彩や模様等が印刷されている。
【００１６】
パターン層１４は、下地層１３の表面に上述した印刷法により積層形成されている。このパターン層１４は、プラスチックパッケージ１０内の製品が真正品であるか否かを識別するためのものであり、第１着色部としての意匠部１７と、同意匠部１７を除く部分としての背景部１８とにより構成されている。本実施形態において、意匠部１７には馬が描画されている。この意匠部１７は、普通インクが塗着されることで、第二の色としての赤色に着色されている。一方、第２着色部としての背景部１８は、特殊インクが塗着されることで、第三の色としての黒色に着色されている。この場合、特殊インクが塗着されることにより、背景部１８は、通常の太陽光や蛍光灯の光では確認できないが、ブラックライトやＵＶ光や赤外線光等の特殊光を照射することにより確認可能となっている。特殊インクとしては、例えば蛍光インク、燐光インク等が挙げられる。
【００１７】
パターン層１４では、意匠部１７が、パターン層１４の全面積Ｓに対し所定の大きさで描画されている。具体的には、パターン層１４に対する意匠部１７の面積比、即ちＳ１／Ｓの値の範囲は、1／２０〜１９/２０が好ましく、１／１０〜９／１０がより好ましく、１／５〜４／５が更に好ましい。この場合、前記Ｓ１／Ｓの値が１／２０未満であると、パターン層１４において、意匠部１７の存在を肉眼で確認することが困難になる。一方、前記Ｓ１／Ｓの値が１９／２０を超えると、パターン層１４において意匠部１７を観察対象として特定することが困難になる。又、意匠部１７を観察対象として更に特定し易くするため、同意匠部１７が占める面積Ｓ１を、背景部１８が占める面積Ｓ２よりも小さく設定するのがより好ましい。具体的には、前記Ｓ１／Ｓの値の範囲は、1／２０〜１/２が好ましく、１／１０〜１／２がより好ましく、１／５〜１／２が更に好ましい。
【００１８】
フィルム層１５は、パターン層１４の表面に接着剤等により貼着されている。フィルム層１５は、少なくともパターン層１４の意匠部１７の全面を覆い隠すように積層されている。ここで、フィルム層１５としては、光学的特性を備える多層ポリマーフィルムが用いられている。多層ポリマーフィルムとは、異なる屈折率を持つ複数種のポリマー材料を交互に積層させたものである。具体的には、ポリエステルやポリプロピレン等のポリマー材料から、数十〜数百ｎｍの厚みを持つ薄膜２０を複数種形成し、これら薄膜２０を交互に数百〜数千枚積層して一体的に形成したものである。
【００１９】
多層ポリマーフィルムは、観察角に応じて色相と彩度とが変化する特性を有している。多層ポリマーフィルムは、表面から可視光が垂直に入射されたとき、ほとんど全ての波長の可視光を透過することによって、無色透明を呈する。一方、表面から可視光が傾斜して入射されたとき、特定の波長を持つ可視光のみを反射することによって、可視色を呈する。本実施形態において、多層ポリマーフィルムは、観察角０°（図３のＡ位置）、即ち観察者Ｐの目線Ｃ１がセキュリティラベル１１の表面を垂直に貫く垂線Ｈとほぼ一致しているとき無色透明を呈している。一方、フィルム層１５は、観察角α°（図３のＢ位置）、即ち観察者Ｐの目線Ｃ２が前記垂線Ｈに対しα°傾斜しているとき第一の色としての青緑色を呈する。
【００２０】
ここで、フィルム層１５が呈する色である青緑色は、パターン層１４の意匠部１７に着色された赤色と補色の関係にある。このため、観察角α°のとき、フィルム層１５を介して観察される意匠部１７は黒色となる。このとき、意匠部１７と背景部１８との色差は、人間の目で識別可能な色差の最小値よりも小さく設定されている。具体的には、意匠部１７と背景部１８との色差は２以下に設定されており、好ましくは２．０以下、より好ましくは１．０以下、更に好ましくは０．５以下に設定されている。尚、補色とは、色の違いを示す色相環で反対に位置する色のことを意味する。又、色差とは、色差を数値的に定義したものであり、具体的には、明度と色の度合いとから各色の座標点を測定し、その各座標点間の直線距離から求められる。
【００２１】
次に、セキュリティラベル１１の使用方法について図４及び図５に従って説明する。
まず、図４（ａ）に示すように、観察者Ｐは、観察角が０°となるようにセキュリティラベル１１を配置する。このとき、セキュリティラベル１１のフィルム層１５は無色透明を呈しているため、観察者Ｐは、図４（ｂ）に示すように、黒色に着色された背景部１８の中央部に、赤色に着色された意匠部１７をはっきりと確認することができる。
【００２２】
次に、図５（ａ）に示すように、観察者Ｐは、観察角がα°となるようにセキュリティラベル１１を傾ける。このとき、フィルム層１５は青緑色を呈している。そして、このフィルム層１５を介してパターン層１４を観察することによって、観察者Ｐは、セキュリティラベル１１が真正品であるか否かを見極めることとなる。
【００２３】
さて、セキュリティラベル１１が真正品である場合、フィルム層１５が青緑色を呈している。このとき、フィルム層１５の青緑色と意匠部１７の赤色とは補色の関係にあるため、同フィルム層１５を介して観察される意匠部１７の色は黒色となる。このため、意匠部１７と背景部１８とは同色となり、観察者Ｐは、図５（ｂ）に示すように、パターン層１４に意匠部１７の存在を確認することができなくなる。これにより、観察者Ｐは、セキュリティラベル１１が真正品であると判定することができる。
【００２４】
一方、セキュリティラベル１１が偽造品である場合、フィルム層１５を介して観察される意匠部１７と背景部１８とが同色にならない。そのため、観察者Ｐは、図４（ｂ）に示すように、黒色に着色された背景部１８の中央部に、赤色に着色された意匠部１７を容易に確認することができる。これにより、観察者Ｐは、セキュリティラベル１１が偽造品であると判定することができる。
【００２５】
以上詳述したように本実施形態によれば、以下のような効果を得ることができる。
・パターン層１４は、赤色に着色された意匠部１７と、黒色に着色された背景部１８とからなる。又、フィルム層１５は、観察角０°のとき無色透明を呈し、観察角α°のとき青緑色を呈している。更に、フィルム層１５が呈する青緑色は、パターン層１４の意匠部１７に着色された赤色と補色の関係にある。この場合、セキュリティラベル１１を観察角α°にして観察したとき、フィルム層１５を介して観察される意匠部１７が存在するか否かによって、同セキュリティラベル１１が真正品であるか否かを見極めることができる。このように、本実施形態のセキュリティラベル１１を用いれば、意匠部１７の有無による２値判定が可能となることから、同セキュリティラベル１１が真正品であるか否かを容易に見極めることができる。従って、簡便な方法によって、セキュリティラベル１１が真正品であるか否かを容易に識別することができる。
【００２６】
・セキュリティラベル１１を観察角α°にして観察したとき、意匠部１７と背景部１８との色差は、人間の目で識別可能な色差の最小値よりも小さく設定されている。このため、セキュリティラベル１１を観察角α°にして観察したとき、意匠部１７と背景部１８との色の違いを肉眼で識別できるか否かによって、セキュリティラベル１１が真正品であるか否かを見極めることができる。よって、セキュリティラベル１１が真正品であるか否かをより容易に識別することができる。
【００２７】
・意匠部１７及び背景部１８の色差は２以下に設定されており、好ましくは２．０以下、より好ましくは１．０以下、更に好ましくは０．５以下に設定されている。このため、セキュリティラベル１１を観察角α°にして観察したとき、意匠部１７と背景部１８とで色の違いを識別する際に誤差が生じるのを防止することができる。よって、セキュリティラベル１１が真正品であるか否かをより一層容易に識別することができる。
【００２８】
・パターン層１４では、意匠部１７が、パターン層１４の全面積Ｓに対し所定の大きさで描画されている。この場合、意匠部１７が占める面積Ｓ１を背景部１８が占める面積Ｓ２よりも小さく設定するのがより好ましい。このようにすることで、パターン層１４において意匠部１７の存在を肉眼で容易に確認することができ、更に、同意匠部１７を観察対象として容易に特定することができる。このため、セキュリティラベル１１を観察角α°にして観察したとき、意匠部１７が存在するか否かを判定することが容易となり、セキュリティラベルが真正品であるか否かを容易に見極めることができる。
【００２９】
・背景部１８は黒色に着色されているため、パターン層１４に意匠部１７の存在を強調させることができる。又、セキュリティラベル１１を観察角α°にして観察したとき、意匠部１７と背景部１８とが共に黒色になることから、同意匠部１７の存在をほぼ完全に消することができる。つまり、パターン層１４に意匠部１７が存在するか否かをより明らかにすることができ、セキュリティラベル１１が真正品であるか否かを見極めることがより一層容易となる。
【００３０】
・パターン層１４は、赤色に着色された意匠部１７と、黒色に着色された背景部１８とにより構成されている。この場合、観察対象である意匠部１７に対する視認性を向上させることができる。このため、意匠部１７の有無がより一層明確になることから、同意匠部１７の有無による２値判定をより一層容易に行うことができる。
【００３１】
・フィルム層１５には、光学的特性を備えた多層ポリマーフィルムが用いられている。この場合、セキュリティラベル１１を観察角０°にして観察したとき、フィルム層１５は無色透明を呈することから、観察対象である意匠部１７に対する視認性をより一層向上させることができる。このため、意匠部１７の有無が更に明確になることから、同意匠部１７の有無による２値判定を更に容易に行うことができる。
【００３２】
・背景部１８には特殊インクが塗着されているため、セキュリティラベル１１が不正に複製されるのを防止することができ、同セキュリティラベル１１のセキュリティ性を高めることができる。又、セキュリティラベル１１に偽造防止手段が施されていることを、偽造者である第三者に知られないようにすることができる。
【００３３】
・セキュリティラベル１１は、インクカートリッジ等の製品を梱包するプラスチックパッケージ１０に一体形成されている。この場合、セキュリティラベル１１を観察角α°にして観察するだけで、同セキュリティラベル１１が真正品であるか否かを容易に識別することができる。即ち、プラスチックパッケージ１０に梱包された製品が真正品であるか否かを容易に識別することができる。又、センサ等の機器を用いたり、複写機で複写したりする等の煩雑な作業を伴わないことから、製品を購入したその場で、プラスチックパッケージ１０に梱包された製品が真正品であるか否かを容易に識別することができる。
【００３４】
・セキュリティラベル１１は、支持体１２の表面に下地層１３を印刷し、下地層１３の表面にパターン層１４を印刷し、パターン層１４の表面に多層ポリマーフィルムを貼着して形成される。セキュリティラベル１１は、その構成が単純であることから、製造工程が複雑化することもなく、大幅なコスト上昇を招くこともない。
【００３５】
なお、上記実施形態は以下のように変形してもよい。
・本実施形態において、意匠部１７は赤色に着色されていたが、観察角がα°のときフィルム層１５が呈する色に応じて、意匠部１７の色を変更してもよい。この場合、意匠部１７の色と、観察角がα°のときにフィルム層１５が呈する色とが補色の関係にあるか、又は補色の関係に近い関係にある。
【００３６】
・本実施形態において、多層ポリマーフィルムは、観察角０°のとき無色透明を呈していたが、透過性を有していれば有色であってもよい。又、多層ポリマーフィルムは、観察角０°のときに限定されることなく、セキュリティラベル１１の表面に対し略垂直方向から観察したときに透明色を有していればよい。更に、多層ポリマーフィルムは、観察角α°のとき青緑色を呈し、観察角０°のとき無色透明を呈するようにしてもよい。
【００３７】
・本実施形態において、意匠部１７は赤色、背景部１８は黒色に着色されていたが、これらを入れ替えて、意匠部１７を黒色に、背景部１８を赤色に着色してもよい。
・本実施形態において、背景部１８は黒色に着色されていたが、黒系の色であってもよい。具体的には、こげ茶色、紫色、濃紫色、青色、濃青色、灰色等が挙げられる。
【００３８】
・本実施形態において、背景部１８は特殊インクにより印刷されていたが、同背景部１８を普通インクにより印刷してもよい。
・本実施形態において、観察角α°のときフィルム層１５を介して観察される意匠部１７と背景部１８との色差は、人間の目で識別可能な程度であってもよい。
【００３９】
・本実施形態において、観察角α°のときフィルム層１５を介して観察される意匠部１７と背景部１８との色差は２以下であったが、人間の目で識別が困難な範囲であれば色差を２より大きくしてもよい。
【００４０】
・本実施形態において、パターン層１４の全面積Ｓのうち、意匠部１７の面積Ｓ１は背景部１８の面積Ｓ２よりも小さいが、意匠部１７の面積Ｓ１を背景部１８の面積Ｓ２より大きくしてもよい。
【００４１】
・本実施形態において、フィルム層１５は、パターン層１４の全面を被覆するように積層されていたが、パターン層１４の意匠部１７のみを被覆するように積層してもよい。
・本実施形態において、支持体１２は、プラスチックパッケージ１０を形成する合成樹脂製のフィルム材の一部分を構成していたが、シート片の裏面に接着材を塗布してなるシール用部材を支持体１２としてもよい。このようにすれば、セキュリティラベル１１は、プラスチックパッケージ１０や製品等の表面に容易に貼着することができる。
【００４２】
・本実施形態において、意匠部１７には馬が描画されていたが、同意匠部１７を任意の形状に変更してもよい。同様に、背景部１８は略正方形をなしていたが、任意の形状に変更してもよい。
【００４３】
・本実施形態において、セキュリティラベル１１は、支持体１２の表面に下地層１３を備えていたが、この下地層１３を省略してもよい。
・本実施形態において、セキュリティラベル１１はインクカートリッジ等の製品を梱包するプラスチックパッケージ１０に設けられていたが、プラスチックフィルム、コートボール紙等の梱包材や、電気製品、日用品、生活雑貨等の工業製品、一般工業部品等の表面に直接設けてもよい。
【図面の簡単な説明】
【００４４】
【図１】本実施形態におけるセキュリティラベルが設けられたパッケージの斜視図。
【図２】同じくセキュリティラベルの平面図。
【図３】図２のＡ−Ａ断面図。
【図４】（ａ），（ｂ）はセキュリティラベル１１を観察角０°にして観察したときの作用を説明するための説明図。
【図５】（ａ），（ｂ）はセキュリティラベル１１を観察角α°にして観察したときの作用を説明するための説明図。
【符号の説明】
【００４５】
１０…プラスチックパッケージ、１１…セキュリティラベル、１２…支持体、１３…下地層、１４…パターン層、１５…フィルム層、１７…意匠部（第１着色部）。
【図１】
2005289446.tif 000003
【図２】
2005289446.tif 000004
【図３】
2005289446.tif 000005
【図４】
2005289446.tif 000006
【図５】
2005289446.tif 000007